(57)【特許請求の範囲】
【請求項１】
笠木本体の内側に係止しパラペット天端部等を被覆して隣接笠木本体間の目地部を閉塞する形態を有し、その外側面に笠木本体の巾方向に流れる複数の凹凸条部を形成してなる目地用水切プレートに装着する部材であって、前記目地部において両側の笠木本体端部間に突出する係止突出部の一端部側に水切プレートの端縁部乃至突起部に係止する差込部を有し、他端部側に差込部を前記端縁部乃至突起部に係止した状態において水切プレートの凹溝内に圧接する当接面部を有する構成を備えたことを特徴とするずれ防止部材。
【発明の詳細な説明】
【０００１】
【発明の属する技術分野】
本発明は、建造物のパラペット天端部や腰水切部等に被着する笠木ジョイント部のずれの防止に用いるずれ防止部材に関する。
【０００２】
【従来の技術】
パラペットの立天端部等に取り付ける笠木は、従来、図７に示すように、パラペット両面側に下折板５１ａ、５１ａを形成してなるホルダー５１を天端部に適宜間隔毎に配設し、このホルダー５１に対し、天端部をカバーする巾と適宜長さとを有する上面部５２ａの両側にパラペット側面に沿う下折面５２ｂ、５２ｂを形成してなる笠木本体５２を、前記下折板５１ａ、５１ａ下端部に当該下折面５２ｂ、５２ｂの下端部を係合させて被嵌させ、これら笠木本体５２、５２間の継ぎ目には、笠木本体５２が温度変化等により長手方向に伸縮することを考慮して適宜巾の目地５３を形成すると共に、この目地５３には、目地から浸入した雨水を好適に排出させるためにパラペット巾方向に凹凸条部５４ａを形成した水切プレート５４を配設して構成するのが一般的である。
【０００３】
【発明が解決しようとする課題】
しかしながら、上記笠木本体５２は、温度や天候等の外的条件の変化によって笠木本体５２自体が伸縮することや、パラペット等の躯体の変動等を考慮して、躯体に固着したホルダー５１に対しては固定しないのが好ましい。この場合、笠木本体２が伸縮を繰り返すうちにホルダー５１上を移動して、笠木本体５２端部の位置が水切プレート５４から外れ、笠木本体５２の目地５３から浸入した水が水切プレート５４には流れず、パラペット天端部を伝って躯体内に浸入し、漏水の原因になることもあった。
【０００４】
一方、このような事態を防ぐために、笠木本体５２と水切プレート５４とをネジ止め等によって固着し固定することも考えられるが、笠木本体及びホルダーの寸法精度等を考えると、ネジ穴を合致させるために位置調整しなければならない等、取付け時の作業負担が大きいといった問題や、既に設置してある笠木本体には適用が困難であるといった課題もあった。また、笠木本体の伸縮を阻害して変形を生じさせるおそれもあった。
【０００５】
そこで本発明は、かかる従来の問題点と課題に鑑みてなされたものであり、温度や天候等の外的条件の変化によって笠木本体自体が伸縮を繰り返し、或いはパラペット等の躯体の変動に伴って笠木本体がホルダー上を移動することがあっても、笠木の目地位置と水切プレートがずれて外れることがなく、それでいて取付作業を極めて簡単に行うことができ、しかも既に設置してある笠木に対しても適用することができる笠木ジョイント部のずれ防止に用いるずれ防止部材を提供せんとする。
【０００７】
【課題を解決するための手段】
上記目的を達成するために、本発明は、笠木ジョイント部のずれ防止構造に用いるずれ防止部材として、笠木本体の内側に係止しパラペット天端部等を被覆して隣接笠木本体間の目地部を閉塞する形態を有し、その外側面に笠木本体の巾方向に流れる複数の凹凸条部を形成してなる目地用水切プレートに装着する部材であって、前記目地部において両側の笠木本体端部間に突出する係止突出部の一端部側に水切プレートの端縁部乃至突起部に係止する差込部を有し、他端部側に差込部を前記端縁部乃至突起部に係止した状態において水切プレートの凹溝内に圧接する当接面部を有する構成を備えたことを特徴とするずれ防止部材を提供する。
【０００８】
このずれ防止部材の好ましい一例としては、少なくとも、一側端に前記折曲部下端に差込装着可能な差込部を形成し、中間部に、装着状態で笠木本体端縁部間にその一部が突出するように係止突出部を形成し、さらに他側に、装着状態で前記折曲部の凹凸条部の凹溝に当接して係止し、前記差込部との間にバネ弾性が付勢されるように上記当接面部を差込部の差込方向よりも若干張出し状態に形成してなる構成を有するものである。
【０００９】
【発明の実施の形態】
次に、本発明の実施例を図面に従って説明する。
本実施例の笠木ジョイント部のずれ防止構造は、図１〜図３に示すように、パラペット天端部Ａに適宜間隔をおいて配設されたホルダー１、ホルダー１に被嵌された笠木本体２、２の目地位置内側に配設された水切プレート３、及びこの水切プレート３に装着され笠木本体２の目地内に配設されたずれ防止部材４、とから構成されている。
【００１０】
ホルダー１は、ステンレス乃至アルミニウム製が好ましく、パラペット天端部Ａの天端面Ｂの巾方向にわたる所要巾の基板部１ａの両側に、笠木本体２の上面に水勾配を与えるように若干高く突出する支持面部１ｂ、１ｂを形成し、これら支持面部１ｂ、１ｂの両側に笠木本体２を嵌合する下折板１ｃ、１ｃを若干下開き状に形成してなっている。前記基板部１ａにはパラペットの巾方向に長い長孔１ｄを形成してあり、このホルダー１は、この長孔１ｄにアンカーボルトを介して基板部１ａを天端面Ｂに固着することにより、パラペット天端部Ａに固定してある。
【００１１】
笠木本体２は、パラペット天端部Ａを被覆する上面部２ａの両側に、パラペット側面に沿って折曲した下折面部２ｂ、２ｂを形成し、これら下折面部２ｂの下端部にはそれぞれホルダー１の下折板１ｂとの係合突部２ｃ、２ｃを形成してなっている。
この笠木本体２は、ホルダー１に対して上方から被嵌し、下折面部２ｂの係合突部２ｃをホルダー１の下折板１ｂ下端に弾性係合させることにより、ホルダー１に取付けてある。また、笠木本体２、２の継目は、継目両側の笠木本体２、２が温度変化等により伸縮するのを調整可能なように適宜間隔を空けて目地５を形成してある。
【００１２】
水切プレート３は、図１及び図３に示すように、パラペット天端部Ａに被覆すると共にパラペット片側方向に傾斜した所要巾の基板３ａの両側に、下方に折曲した折曲部３ｂ、３ｂを形成し、前記基板３ａの上面及びこれに連続する水勾配下側の折曲部３ｂの外側面には、両側のホルダー１、１方向への水の流れを防止するパラペットの巾方向の複数の凹凸条部３ｃを平行に形成し、他の折曲部３ｂの上端は基板３ａよりも上方に突出させて突起部３ｄとして形成してある。
この水切プレート３は、上記笠木本体２内に対して下方から嵌合させ、折曲部３ｂ、３ｂの各下端を笠木本体２の係合突部２ｃに弾性係合させることにより、上記笠木本体２、２の目地５内に取付けてある。
【００１３】
ずれ防止部材４は、アルミニウム、ステンレス等の金属製又はプラスチック製であって、上記水切プレート３の凹凸条部３ｃの凹溝内に挿入できる巾からなる細長い板部材から成形してなるものであり、図４に示すように、このずれ防止部材４の一側端部（図では下端部）には、水切プレート３の折曲部３ｂに沿った平坦面部４ａの一側を裏側にＵ字状に折り返して（折り返し片部４ｂ）、水切プレートの折曲部３ｂ端部に差し込み係止可能な差込部４ｃを形成してある。この差込部４ｃは、好ましくは折り返し片部４ｂが先端に向かって平坦面部４ａに接近するように、すなわち差込口に向かって狭巾となるように形成する。
差込部４ｃの他側には、前記平坦面部４ａよりも前記差込部４ｂの折り返し側とは反対方向に所要長さに亘って突出した係止突出部４ｄを形成してある。この係止突出部４ｄの突出高さは、ずれ防止部材４を水切プレートの折曲部３ｂに装着した状態で、少なくとも係止突出部４ｄの一部が笠木本体２の端縁部以上の高さとなるように設定してある。
さらに、係止突出部４ｄの他側には、前記平坦面部４ａと略々平行ではあるが、この平坦面部４ａの延長線及び折り返し片部４ｂ又は折り返し片部４ｂの延長線上（図中の一点鎖線）よりも若干裏側すなわち前記差込部４ｃの折り返し方向に張出した状態に当接面部４ｅを形成してある。
【００１４】
このずれ防止部材４は、差込部４ｃを下にして、当接面部４ｅを水切プレート３の凹凸条部３ｃの凹溝内に当接させつつ差込部４ｃを折曲部３ｂ下端に差し込むことにより、目地５内における水切プレート３に装着してある。
この装着状態では、ずれ防止部材４は、折り返し片部４ｂと当接面部４ｅとの間にバネ弾性が付勢され、折り返し片部４ｂと当接面部４ｅとが折曲部３ｂを両側から圧接して挟持する状態なることにより水切プレート３に確実に固定されている。
また、係止突出部４ｄの一部は笠木本体２、２の端縁部間に介在しており、係止突出部４ｄと笠木本体２の端縁部とが互いに係合するようになっている。しかも、ずれ防止部材４の基板部４ａ及び当接面部４ｅは水切プレート３の凹凸条部３ｃの凹溝内に係止しているから、パラペットの長手方向から押力が加わってもずれることがない。
【００１５】
上記構造からなる笠木ジョイント部のずれ防止構造によれば、天候等の外的条件の変化に伴って笠木本体２自体が伸縮を繰り返しても、或いはパラペット等の躯体の変動に伴って笠木本体２が移動しても、ずれ防止部材４と笠木本体２の端縁との係合によって、常にずれ防止部材４は隣接の笠木本体２、２端縁部間に介在した状態が保持されるから、水切プレート３が目地５から外れることがなく、また、水切プレート３がホルダー１等によって位置規制されている場合は、笠木本体２の伸縮がずれ防止部材４によって笠木本体両側を一定程度に規制された範囲内で行われることになる。したがって、従来のように笠木本体端部の位置が水切プレートから外れ、笠木本体の目地から浸入した水がパラペット天端部を伝って躯体内に浸入し、漏水の原因になるのを防ぐことができる。
【００１６】
次に、上記の笠木ジョイント部のずれ防止構造は、以下のようにして組み立てることができる。
先ず、パラペット天端部Ａに適宜間隔をおいてホルダー１を固着し、隣り合う笠木本体２、２間にそれぞれ目地５を形成しつつ、前記ホルダー１に対して笠木本体２を被嵌して取付け、前記目地５には、笠木本体２、２の端縁部間に亘って水切プレート３を嵌合させて取り付ける。
そして、このようにホルダー１、笠木本体２及び水切プレート３を取付けた後、水切プレート３の略々中央にずれ防止部材４を差し込んで装着すれば、上記の笠木ジョイント部のずれ防止構造とすることができる。
【００１７】
上記笠木ジョイント部のずれ防止構造は、上記のように、ホルダー１、笠木本体２及び水切プレート３を取付けた後に、ずれ防止部材４を水切プレート３に差し込んで装着するだけで組み立てることができるから、取付作業時に笠木本体２の寸法を調整するとか、ネジ孔を合致させるように各構成部材の取付位置を調整するとか言っためんどうな作業を一切必要としない。しかも、ずれ防止部材４を水切プレート３に装着する作業は、水切プレート３の折曲部３ｂに差し込むだけであるから極めて簡単である。
更には、従来既に設置されている笠木に対しても、ずれ防止部材４のみを用意すれば、これを装着するだけで簡単に笠木ジョイント部のずれ防止構造とすることができる。
【００１８】
以下、ずれ防止部材４の変形例について説明する。
図５に示したずれ防止部材１０は、上記ずれ防止部材４を、水切プレート３の躯体壁面側の折曲部３ｂの上端を基板３ａより上方に突起させてなる突起部３ｄに挟み込んで同折曲部３ｂに圧接させるように形成したものである。
すなわち、上記ずれ防止部材４における差込部４ｃを、水切プレート３の突起部３ｄに差し込み係止可能に形成すると共に、装着状態で、折り返し片部４ｄの先端部が水切プレート３の凹凸条部３ｃの凹溝内に係止するように形成したものである。
このずれ防止部材１０によれば、差込部４ｃを上にして、当接面部４ｅを折曲部３ｂの表面に当接させると共に、差込部４ｃを突起部３ｄに差し込むことにより、水切プレート３の躯体壁面側の折曲部３ｂに掛着させることができ、上記ずれ防止部材４と同様、笠木本体２、２の端縁部間に上記係止突出部４ｄを介在させることができる。
【００１９】
また、図６に示したずれ防止部材２０は、水切プレート３の突起部３ｄに差し込んで基板３ａ上面に沿って装着できるように形成したものである。
この防止部材２０の一側端部（図では左端部）には、突起部３ｄに対して上方から差込可能なＵ字状の差込部２０ａを形成し、この差込部２０ａの他側には、水切プレート３の基板３ａの上面に沿った平坦面部２０ｂを介して、この平坦面部２０ｂよりも上方に所要長さに亘って突出した係止突出部２０ｃを形成し、さらにこの係止突出部２０ｃの他側に、水切プレート３の基板３ａの上面に沿った平坦面端部２０ｄを形成したものである。係止突出部２０ｃの突出高さは、装着状態で、一部が少なくとも笠木本体２の端縁部よりも高くなるように設定してある。
【００２０】
このずれ防止部材２０によれば、平坦面部２０及び平坦面端部２０ｂを水切プレート３の凹凸条部３ｃの凹溝内に挿入しその表面に当接させつつ、差込部２０ａを突起部３ｄに差し込むだけで、水切プレート３に取付けることができ、上記ずれ防止部材４同様、笠木本体２、２の端縁部間に上記係止突出部２０ｃを介在させることができる。
【００２１】
なお、上記ずれ防止部材２０において、平坦面端部２０ｄに対する差込部２０ａの角度を、水切プレート３の基板３ａ対する突起部３ｄの角度よりも大きくすることにより、水切プレート３に取付けた状態でずれ防止部材２０にバネ弾性が付勢され、上記ずれ防止部材４と同様、両側から圧接して挟持する状態なることにより水切プレート３に確実に固定することができる。
【図面の簡単な説明】
【図１】  本発明のずれ防止部材を用いた笠木ずれ防止構造の一例を示した斜視図である。
【図２】図１の笠木ずれ防止構造における目地部分の正面図である。
【図３】同じく、図１の笠木ずれ防止構造における目地部分の断面図である。
【図４】本発明のずれ防止部材の一例を示した斜視図である。
【図５】本発明のずれ防止部材の他例を示した側面図である。
【図６】同じく、本発明のずれ防止部材の他例を示した側面図である。
【図７】従来の笠木の構造を一例を示した一部断面斜視図である。
【符号の説明】
１  笠木ホルダー
２  笠木本体
３  水切プレート
４，１０，２０  ずれ防止部材
５  目地
Ａ  パラペット天端部
Ｂ  天端面
【図１】
0003712773.tif 000002
【図２】
0003712773.tif 000003
【図３】
0003712773.tif 000004
【図４】
0003712773.tif 000005
【図５】
0003712773.tif 000006
【図６】
0003712773.tif 000007
【図７】
0003712773.tif 000008